(57)【要約】【課題】４枚の床パンを用い、床の敷設領域に合致するように床パンが切り欠かれていても床パンを円滑に敷設することができるとともに、壁パネルとの取付関係も円滑なものにすることができる床パンの敷設構造を提供する。【解決手段】洗面室１の床２の敷設領域に敷設される床パン３の敷設構造として、長さ寸法及び幅寸法が予め規定された４枚の床パン３，…と、洗面室１の壁パネル１０に沿って敷設された支持フレーム３２とを備える。更に、各床パン３のうちの床２の敷設領域を超過する部位に敷設される床パン３を、その敷設領域に収まるように端縁を切り欠いている。そして、支持フレーム３２の上側支持フレーム材３４に、洗面室１の壁パネル１０を水切り具４０を介して取り付けるとともに、床パン３の切り欠き縁３１を取付金具４１を介して取り付けている。【選択図】図５
2011132677.tif 000002
【特許請求の範囲】
【請求項１】
サニタリールームの床の敷設領域に敷設される床パンの敷設構造であって、
長さ寸法及び幅寸法が予め規定された複数枚の床パンと、上記サニタリールームの壁に沿って敷設された支持フレームとを備え、
上記各床パンのうちの上記床の敷設領域を超過する部位に敷設される床パンは、その敷設領域に収まるように端縁が切り欠かれており、
上記支持フレームには、上記サニタリールームの壁が水切り具を介して取り付けられているとともに、上記端縁が切り欠かれた床パンの切り欠き縁が取付具を介して取り付けられていることを特徴とする床パンの敷設構造。
【請求項２】
上記サニタリールームの壁と上記床パンの切り欠き縁との間には、その切り欠き縁と壁とに沿って敷設された支持フレームを上方から隠蔽する隠蔽カバーが装着されている請求項１に記載の床パンの敷設構造。
【請求項３】
上記取付具は、上記支持フレームより反壁側に向かって略水平に突出する突片を備えた第１部材と、上記床パンの切り欠き縁の下部に設けられ、上記突片に対する略水平方向からのスライド移動によって当該突片を上下方向から挟み込む挟持部を備えた第２部材との間に設けられている請求項１又は請求項２に記載の床パンの敷設構造。
【請求項４】
上記取付具は、上記床パンの切り欠き縁の下部より下方に突設された弾性変形可能な係合片を備えた第１部材と、上記支持フレーム又は上記水切り具に設けられ、上記係合片を上方から係合させた状態で上方へ浮き上がり不能に係止する係止部を備えた第２部材との間に設けられている請求項１又は請求項２に記載の床パンの敷設構造。
【発明の詳細な説明】
【技術分野】
【０００１】
本発明は、浴室の洗い場、洗面所、シャワールームやトイレなどのように水回り設備を内設したサニタリールームの床の敷設領域に敷設される床パンの敷設構造に関し、特に、ユニット化された規格サイズの床の敷設領域とは異なる規格外サイズの床の敷設領域に敷設されるものに係る。
【背景技術】
【０００２】
一般に、浴室の洗い場、洗面所、シャワールームやトイレなどのようなサニタリールームの床は、ユニット化された規格サイズの床パンを敷設することにより構成されている。
このような床パンの敷設構造としては、浴室の洗い場における床の敷設領域に敷設される補強フレームと、上記床の敷設領域に合致する形状の一枚の洗い場パン（床パン）とを備え、床の敷設領域に敷設された補強フレームの上に洗い場パンを敷設するようにしたものが知られている（例えば、特許文献１参照）。
【先行技術文献】
【特許文献】
【０００３】
【特許文献１】特開２００３−１９３５２７号公報
【発明の概要】
【発明が解決しようとする課題】
【０００４】
ところで、ユニット化された規格サイズの床の敷設領域であれば、補強フレーム上に一枚ものの床パンを簡単に敷設することができるものの、規格サイズの床の敷設領域とは異なる規格外サイズの床の敷設領域に床パンを敷設する場合には、一枚ものの床パンによって安価でかつ容易に対応することができない。
つまり、規格外サイズの床の敷設領域では、その規格外サイズの床の敷設領域に合致する形状の床パンをその都度成形型により成形しなければならず、床パンの成形型をその都度要してコストが非常に嵩んでしまう。また、規格サイズを大幅に超える巨大な規格外サイズの床を構成する場合には、一枚ものの床パンではその形状が非常に巨大なものとなり、床パンの搬入性が非常に悪化する。
【０００５】
そこで、寸法が予め規定されかつ周囲に取付具を備えた複数枚の床パンを単一種類の成形型により成形し、その成形された複数枚の床パンを規格外サイズの床の敷設領域に敷設することが考えられる。
その場合、複数枚の床パンを用いても、規格外サイズの床の敷設領域に合致するとは限らないため、床の敷設領域を超過して合致しなければ、上記各床パンのうちの上記床の敷設領域に合致しない部位に敷設される床パンの端縁を、その床の敷設領域に合致するように切り欠かなければならない。
【０００６】
しかし、端縁が切り欠かれた床パンの切り欠き縁では、取付具も一緒に切除されているため、当該床パンの敷設が難しい上、床の敷設領域を仕切る壁との取付関係も困難なものとなる。
【０００７】
本発明は、かかる点に鑑みてなされたものであり、その目的とするところは、複数枚の床パンを用い、床の敷設領域に合致するように床パンが切り欠かれていても円滑に敷設することができるとともに、壁との取付関係も円滑なものにすることができる床パンの敷設構造を提供することにある。
【課題を解決するための手段】
【０００８】
前記目的を達成するため、本発明では、サニタリールームの床の敷設領域に敷設される床パンの敷設構造として、長さ寸法及び幅寸法が予め規定された複数枚の床パンと、上記サニタリールームの壁に沿って敷設された支持フレームとを備える。更に、上記各床パンのうちの上記床の敷設領域を超過する部位に敷設される床パンは、その敷設領域に収まるように端縁が切り欠かれている。そして、上記支持フレームに、上記サニタリールームの壁を水切り具を介して取り付けるとともに、上記端縁が切り欠かれた床パンの切り欠き縁を取付具を介して取り付けている。
この特定事項により、サニタリールームの床の敷設領域に収まるように端縁が切り欠かれた床パンの切り欠き縁は、サニタリールームの壁に沿って敷設された支持フレームに対し取付具により取り付けられる。これにより、床パンの端縁が取付具ごと切り欠かれていても、その切り欠き縁を円滑に敷設することが可能となる。
また、サニタリールームの床の敷設領域を仕切る壁も、上記支持フレームに対し水切り具を介して取り付けられている。これにより、床パンと壁とは支持フレームに対しそれぞれ個別に取り付けられることになり、床パンを取り外す際に壁を取り外す必要がなく、床パンの壁との取付関係も円滑なものにすることが可能となる。
【０００９】
また、上記サニタリールームの壁と上記床パンの切り欠き縁との間に、その切り欠き縁と壁とに沿って敷設された支持フレームを上方から隠蔽する隠蔽カバーを装着していることが好ましい。この場合には、支持フレーム、その支持フレームに接合された床パンの切り欠き縁および水切り具が隠蔽カバーによって隠蔽され、床パンと壁とのつなぎ目を見栄えよく隠すことができる。
【００１０】
また、上記取付具を、上記支持フレームより反壁側に向かって略水平に突出する突片を備えた第１部材と、上記床パンの切り欠き縁の下部に設けられ、上記突片に対する略水平方向からのスライド移動によって当該突片を上下方向から挟み込む挟持部を有する第２部材との間に設けることが好ましい。
この場合には、支持フレームより反壁側に向かって略水平に突出する突片に対し床パンの切り欠き縁を壁に向かって略水平方向からスライドさせると、当該床パンの切り欠き縁の下部に設けられた挟持部によって上記突片が上下方向から挟み込まれる。これにより、突片と挟持部とを備えた取付具によって床パンの切り欠き縁の浮きが確実に防止され、床パンの切り欠き縁を見栄えよく敷設することができる。
【００１１】
これに対し、上記取付具を、上記床パンの切り欠き縁の下部より下方に突設された弾性変形可能な係合片を備えた第１部材と、上記支持フレーム又は上記水切り具に設けられ、上記係合片を上方から係合させた状態で上方へ浮き上がり不能に係止する係止部を備えた第２部材との間に設けることが好ましい。
この場合には、支持フレーム又は水切り具に設けられた係止部に対し、床パンの切り欠き縁を上方から敷設すると、床パンの切り欠き縁の下部より下方に突設された係合片が上記係止部に対し上方から係合し、その係合片を係合させた状態で床パンの切り欠き縁が上方へ浮き上がり不能に係止される。これにより、係合片と係止部とを備えた取付具によって床パンの切り欠き縁の浮きが確実に防止され、床パンの切り欠き縁を見栄えよく敷設することができる。しかも、床パンの切り欠き縁を壁に向かって略水平方向からスライド移動させて敷設するもののように水平方向のスペースを必要とせず、床パンの切り欠き縁をより簡単に敷設することができる。
【発明の効果】
【００１２】
以上、要するに、支持フレームに、サニタリールームの壁を水切り具を介して取り付けるとともに、床パンの切り欠き縁を取付具を介して取り付けることで、床パンの端縁が取付具ごと切り欠かれていても床パンを円滑に敷設することができる。しかも、床パンと壁とが支持フレームに対しそれぞれ個別に取り付けられ、床パンを取り外す際に壁を取り外す必要がなく、床パンの壁との取付関係も円滑なものにすることができる。
【図面の簡単な説明】
【００１３】
【図１】本発明の第１の実施の形態に係る床パンの敷設構造に用いられる支持フレームを敷設した状態を示す洗面室の斜視図である。
【図２】図１の支持フレームに水切り具を取り付けた状態を示す洗面室の斜視図である。
【図３】図２の支持フレームに床パンを敷設してから隠蔽カバーを装着した状態を示す洗面室の斜視図である。
【図４】本発明の第１の実施の形態に係る床パンの敷設構造を示す平面図である。
【図５】図４のＡ−Ａ線における断面図である。
【図６】本発明の第２の実施の形態に係る床パンの敷設構造を示す図５の相当図である。
【図７】本発明の第３の実施の形態に係る床パンの敷設構造を示す図５の相当図である。
【図８】本発明の変形例に係る床パンの敷設構造を示す平面図である。
【図９】本発明のその他の変形例に係る床パンの敷設構造を示す平面図である。
【図１０】本発明のその他の変形例に係る床パンの敷設構造を示す平面図である。
【発明を実施するための形態】
【００１４】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１５】
図１〜図４において、１は本発明の第１の実施の形態に係る床パンの敷設構造が適用されるサニタリールームとしての洗面室であって、この洗面室１の床２の敷設領域は、規格サイズの床の敷設領域とは異なる規格外サイズのものとされている。
【００１６】
上記床パンの敷設構造としては、長さ寸法及び幅寸法が予め規定された長方形状を呈し、成形型により予め形成された４枚の床パン３，…（図３及び図４に表れる）と、上記各床パン３の端縁の位置に合わせて床２の敷設領域に敷設された複数の支持フレーム３２，…（図１及び図２に表れる）とを備えている。
【００１７】
上記各床パン３は、ＦＲＰ（繊維強化プラスチック）等の合成樹脂材により成形され、その長辺同士が向き合うように３つ並べて敷設されるとともに、その３つ並べて敷設された各床パン３のうちの中央及び一側（図４では上側）の２つの床パン３，３の短辺に対し長辺が向き合うように１つ並べて敷設されている。そして、各床パン３には、その端縁全域より一体的に下方に垂下してから外方へ水平に延びる前垂れ（図示せず）が形成されている。この場合、各床パン３は、短辺が長辺の半分の寸法となるように成形されている。
【００１８】
また、図１及び図２に示すように、上記各支持フレーム３２は、洗面室１の床２の敷設領域の周縁に敷設されていると共に、互いに相隣なる各床パン３の端縁同士の間に敷設されている。この各床パン３の端縁同士の間に敷設された各支持フレーム３２の両端は、その両端において直交する方向に延びる各支持フレーム３２に対しそれぞれ接合されている。
【００１９】
そして、図５に示すように、上記各支持フレーム３２は、その一側及び他側にそれぞれフランジ部３３１，３３２を存して下方に大きく凸設された下側支持フレーム材３３と、同様に一側及び他側にそれぞれフランジ部３４１，３４２を存して下方に若干量だけ凸設された上側支持フレーム材３４とを備えている。この下側支持フレーム材３３と上側支持フレーム材３４とは、一側（図５では左側）のフランジ３３１，３４１同士及び他側（図５では右側）のフランジ３３２，３４２同士がそれぞれビス３５，３５により止着されて閉断面を形成している。また、上記下側支持フレーム材３３の中心位置には、ボルト孔３３３が設けられているとともに、その内側面（図５では上側面）に上記ボルト孔３３３とねじ孔を一致させたナット３３４が溶接されて取り付けられている。
【００２０】
また、各支持フレーム３２には、各床パン３の短辺方向両端位置及び長辺方向の略中間位置において床２の敷設領域での敷設高さを確保するためのレベルアジャスター３６，…が取り付けられている。この各レベルアジャスター３６は、床２の敷設領域に接地される薄皿状の接地部３６１と、この接地部の中心に頭部が固設されて脚部が上方に突出するボルト部材３６２と、このボルト部材３６２の脚部先端寄りに螺着された位置決めナット３６３とを備えている。そして、上記各レベルアジャスター３６のボルト部材３６２の脚部先端は、上記下側支持フレーム材３３のボルト孔３３３を介してナット３３４に螺着されている。この場合、各支持フレーム３２は、下側支持フレーム材３３のボルト孔３３３を介してナット３３４に螺着された際に、各レベルアジャスター３６のボルト部材３６２の脚部の位置決めナット３６３が下側支持フレーム材３３の外側面（下面）と当接することによって、床２の敷設領域での敷設高さが決められる。
【００２１】
そして、上記互いに相隣なる床パン３，３の前垂れは、その両床パン３，３の間に敷設された各支持フレーム３２の上側支持フレーム材３４に対しビス（図示せず）によりそれぞれ床パン３の周方向所定間隔おきに止着されている。また、上記床２の敷設領域の周縁に敷設された各支持フレーム３２の上側支持フレーム材３４には、その床２の敷設領域の周縁に端縁が位置する各床パン３，…の前垂れがそれぞれ周方向所定間隔おきにビス（図示せず）により止着されている。この場合、互いに相隣なる床パン３，３の端縁同士の間隔は、ほぼ１００ｍｍに設定されている。
【００２２】
また、上記互いに相隣なる床パン３，３の端縁の間には、その床パン３，３同士の間に敷設された支持フレーム３２を上方から隠蔽する隠蔽カバー３８，…が装着されている。この各隠蔽カバー３８は、ＦＲＰ等の合成樹脂材により成形され、互いに相隣なる床パン３，３の端縁同士の間にほぼ隙間なく収容される。また、上記各隠蔽カバー３８は、互いに相隣なる床パン３，３の端縁同士の間に収容された際に、その上面が各床パン３の上面と略一致する高さとなるように保持される。また、床２の敷設領域の周縁に端縁が位置する各床パン３と洗面室１の壁としての壁パネル１０（図５に表れる）との間にも、その床２の敷設領域の周縁に敷設された各支持フレーム３２を上方から隠蔽する隠蔽カバー３９，…が装着されている。そして、上記床２の敷設領域の周縁に敷設された各支持フレーム３２の上側支持フレーム材３４には、壁パネル１０の下端を支持する断面略Ｌ字状の水切り具４０が取り付けられている。この水切り具４０は、アルミニウムよりなり、壁パネル１０の下端を上面で支持して下方へ延びる支持部４０１と、この支持部４０１の下端より内方へ延び、各支持フレーム３２の上側支持フレーム材３４に載置される載置部４０２とを備えている。この場合、壁パネル１０は、樹脂化粧鋼板の裏面に裏打材を貼り合わせて形成されている。
【００２３】
上記各床パン３のうちの上記床２の敷設領域を超過する部位に敷設される２つの床パン３（図４では下側の床パン３と右側の床パン３）は、その敷設領域に収まるようにそれぞれ長辺側の端縁が切り欠かれている。上記端縁が切り欠かれた床パン３，３の切り欠き縁３１は、それぞれ壁パネル１０側に位置している。そして、図５に示すように、上記各床パン３の切り欠き縁３１には、取付具としての取付金具４１が取り付けられている。この取付金具４１は、上記各床パン３の切り欠き縁３１の上面に係止される係止片４１１と、この係止片４１１の外方端（図５では左端）から切り欠き縁３１の端面に沿って下方へ延びる垂下片４１２と、この垂下片４１２の下端から外方へ水平に延び、上記水切り具４０の載置部４０２の上面に載置される載置片４１３と、上記垂下片４１２の途中位置から内方（図５では右側）へ水平に延び、上記各床パン３の切り欠き縁３１の下方において上記係止片４１１に当該切り欠き縁３１を挟んで対向する対向片４１４と、この対向片４１４の下面に固設された２連のナット部材４１５，４１５と、この各ナット部材４１５のねじ孔及びそのねじ孔と連通する貫通孔を介して上記対向片４１４に螺着され、当該対向片と上記係止片４１１との間で上記各床パン３の切り欠き縁３１を狭持する挟持ボルト４１６とを備えている。そして、上記取付金具４１は、上記水切り具４０の載置部４０２の上面に載置片４１３を載置した状態で、上記床２の敷設領域の周縁に敷設された各支持フレーム３２の上側支持フレーム材３４に対し上記水切り具４０の載置部４０２と共にビス４２により共締めされて取り付けられている。この場合、隠蔽カバー３９は、洗面室１の壁パネル１０と床パン３の切り欠き縁３１との間、つまり床２の敷設領域の周縁に切り欠き縁３１が位置する各床パン３と洗面室１の壁パネル１０との間に装着され、これによって、床２の敷設領域の周縁つまり切り欠き縁３１と壁パネル１０とに沿って敷設された支持フレーム３２を上方から隠蔽している。なお、図５中４４は、壁を取り付けるスタッドを固定するためのビスである。
【００２４】
また、図１〜図４中の４５は、図示しない柱、梁又はパイプスペースなどの建物側の躯体を回避するためのスペースであって、このスペースによって仕切られた床の敷設領域を超過する部位つまり前記スペースに係る部位に敷設される床パン３（図４では左上の床パン３）は、そのスペースが回避されるように端縁の角部が切り欠かれ、その切り欠き縁３１に取付金具（図示せず）が取り付けられている。また、床２の敷設領域の周縁に敷設される支持フレーム３２及び水切り具４０も前記スペース４５に沿って敷設され、切り欠き縁３１が取付金具によって取り付けられている。
【００２５】
したがって、上記第１の実施の形態では、洗面室１の床２の敷設領域に収まるように端縁が切り欠かれた床パン３の切り欠き縁３１は、洗面室１の壁パネル１０に沿って敷設された支持フレーム３２の上側支持フレーム材３４に対し取付金具４１により取り付けられる。これにより、床パン３の端縁が前垂れごと切り欠かれていても、床パン３を円滑に敷設することができる。
また、洗面室１の床２の敷設領域を仕切る壁パネル１０も、上記支持フレーム３２の上側支持フレーム材３４に対し水切り具４０を介して取り付けられている。これにより、床パン３と壁パネル１０とは支持フレーム３２の上側支持フレーム材３４に対しそれぞれ個別に取り付けられることになり、床パン３を取り外す際に壁パネル１０を取り外す必要がなく、床パン３の壁パネル１０との取付関係も円滑なものにすることができる。
【００２６】
また、上記洗面室１の壁パネル１０と上記床パン３の切り欠き縁３１との間に、その切り欠き縁３１と壁パネル１０とに沿って敷設された支持フレーム３２を上方から隠蔽する隠蔽カバー３９が装着されているので、支持フレーム３２、当該支持フレーム３２にビス止めされた床パン３の切り欠き縁３１、及び水切り具４０が、隠蔽カバー３９によって隠蔽され、床パン３と壁パネル１０とのつなぎ目を見栄えよく隠すことができる。しかも、互いに相隣なる床パン３の端縁同士の間にも隠蔽カバー３８が装着されているので、支持フレーム３２、及び互いに相隣なる床パン３の端縁の前垂れ同士が隠蔽カバー３８によって隠蔽され、床パン３の端縁同士のつなぎ目も見栄えよく隠すことができる。
【００２７】
次に、本発明の第２の実施の形態を図６に基づいて説明する。
この実施の形態では、取付金具の構成を変更している。なお、取付金具を除くその他の構成は、上記第１の実施の形態と同じであり、同一部分については同じ符号を付して、その詳細な説明は省略する。
【００２８】
図６において、床パン３の切り欠き縁３１の下面には、合板等からなる固着片５０が貼着されている。この固着片５０は、床パン３の切り欠き縁３１の端面と、当該床パン３の切り欠き縁３１が取り付けられる支持フレーム３２の他側端（図６では右端）との間に亘って貼着されてなる。また、床パン３の切り欠き縁３１の端面には、上記固着片５０の下面側にも回り込むように断面略Ｌ字状に形成されたＬ型金具５６が取り付けられている。
【００２９】
そして、取付金具５は、上記支持フレーム３２より反壁パネル１０側（図６では右側）に向かって略水平に突出する突片としての他側のフランジ３３２，３４２を備えた第１部材としての支持フレーム３２と、床パン３の切り欠き縁３１下面の固着片５０の他側端面にビス５１により止着されて下方へ垂下し、その下端部に上記支持フレーム３２の他側のフランジ３３２，３４２を上下方向から挟み込む挟持部５２を備えた第２部材としての床パン３との間に設けられている。この挟持部５２は、上側支持フレーム材３４の他側のフランジ３４２の上面に沿うように一側（図６では左側）へ水平に延びる上側延設片５２１と、下側支持フレーム材３３の他側のフランジ３４２の下面に沿うように一側へ水平に延びる下側延設片５２２とで断面略コ字状に形成されてなる。
【００３０】
上記取付金具５は、床パン３の切り欠き縁３１に対し所定間隔おきに取り付けられている。具体的には、長辺が切り欠かれた切り欠き縁３１では３カ所に、短辺が切り欠かれた切り欠き縁３１では２カ所に取り付けられる。この場合、各取付金具５は、他側のフランジ３３２，３４２同士を止着するビス３５との干渉を回避する上で、当該ビス３５が存在しない部位に取り付けられる。
【００３１】
そして、端縁が切り欠かれた床パン３は、その切り欠き縁３１とは反対側の端縁とこれと相隣なる床パン３の端縁との１００ｍｍの間隔を利用して敷設される。
つまり、端縁が切り欠かれた床パン３は、その切り欠き縁３１とは反対側の端縁をこれと相隣なる床パン３の端縁に近づけておいた状態から、上記支持フレーム３２の他側のフランジ３３２，３４２に対し壁パネル１０側へ水平方向にスライド移動させることによって当該他側のフランジ３３２，３４２を各挟持部５２で上下方向から挟み込む。そして、上記切り欠き縁３１とは反対側の端縁の前垂れを、これと相隣なる床パン３の端縁との間に敷設された支持フレーム３２にビス止めすることで、端縁を切り欠いた床パン３が敷設される。
なお、図６中５５は、水切り具４０の載置部４０２を支持フレーム３２の上側支持フレーム材３４に対し所定間隔おきに止着するためのビスである。
【００３２】
したがって、上記第２の実施の形態では、支持フレーム３２の他側のフランジ３３２，３４２に対し床パン３の切り欠き縁３１を壁パネル１０に向かって水平方向にスライド移動させると、当該床パン３の切り欠き縁３１に取り付けた各挟持部５２によって上記支持フレーム３２の他側のフランジ３３２，３４２が上下方向から挟み込まれる。これにより、支持フレーム３２の他側のフランジ３３２，３４２と各挟持部５２とを備えた取付金具５によって床パン３の切り欠き縁３１の浮きが確実に防止され、床パン３の切り欠き縁３１を見栄えよく敷設することができる。
【００３３】
次に、本発明の第３の実施の形態を図７に基づいて説明する。
この実施の形態では、取付金具の構成を変更している。なお、取付金具を除くその他の構成は、上記第１の実施の形態と同じであり、同一部分については同じ符号を付して、その詳細な説明は省略する。
【００３４】
図７において、床パン３の切り欠き縁３１の端面及び下面には、鉛直板６１１及び水平板６１２とで断面略Ｌ字状に形成された端末金具６１がビス６２，６２により止着されている。
【００３５】
そして、取付金具６は、上記端末金具６１の水平板６１２を介して切り欠き縁３１の下面にビス６３，６３により端末金具６１の水平板６１２を介して止着され、かつ水切り具４０の載置部４０２の端面に向かって下方に突設された係合片６４を備えた第１部材としての切り欠き縁３１を有する床パン３と、上記水切り具４０の載置部４０２の端面に設けられ、かつ上記係合片６４の上方からの係止動作によって上記係合部６４１を係止する係止部６５を備えた第２部材としての水切り具４０との間に設けられている。
【００３６】
上記係合片６４は、上記端末金具６１の水平板６１２に対し支持フレーム３２の一側及び他側に弾性変形可能とされている。そして、上記係合片６４の突設端側（下部側）には、支持フレーム３２の一側（図７では左側）へ断面略円弧状に湾曲する係合部６４１が形成されている。
【００３７】
また、上記係止部６５は、上記水切り具４０の載置部４０２の端面の下部側を上記係合部６４１に則した断面形状に凹設してなり、上記係合片６４の上方からの係止動作によって上記係合部６４１を上方へ浮き上がり不能に係止している。この係合片６４の係止動作は、床パン３の切り欠き縁３１とは反対側の端縁を支点にし、当該床パン３の切り欠き縁３１が取り付けられる支持フレーム３２に対し切り欠き縁３１を上方から被せるように床パン３を下ろすことにより行われる。
【００３８】
そして、上記取付金具６は、床パン３の切り欠き縁３１に対し所定間隔おきに取り付けられている。具体的には、長辺が切り欠かれた切り欠き縁３１では３カ所に、短辺が切り欠かれた切り欠き縁３１では２カ所に取り付けられる。この場合、各取付金具５は、他側のフランジ３３２，３４２同士を止着するビス３５との干渉を回避する上で、当該ビス３５が存在しない部位に取り付けられる。
【００３９】
この場合、係合片６４は、係合部６４１を係止部６５に対し係止させる方向へ付勢されている。具体的には、係合部６４１は、床パン３の切り欠き縁３１に浮き上がりが生じていないときには、図７に二点鎖線で示すように、係合部６４１の突設端（下端）が支持フレーム３２の上側支持フレーム材３４の上面に当接しているものの、床パン３の切り欠き縁３１に浮き上がりが生じると、図７に実線で示すように、係合部６４１の突設端が支持フレーム３２の上側支持フレーム材３４の上面から離れてとの当接が解除されて係合部６４１が付勢力により水切り具４０の載置部４０２端面の係止部６５に係止されるようになっている。
【００４０】
したがって、上記第３の実施の形態では、床パン３をその切り欠き縁３１とは反対側の端縁を支点にして下ろすと、床パン３の切り欠き縁３１の下部より下方に突設された係合片６４の係合部６４１が、水切り具４０の載置部４０２の端面に設けられた係止部６５に対し上方から係合し、床パン３の切り欠き縁３１が上方へ浮き上がり不能に係止される。これにより、係合片６４と係止部６４とを備えた取付金具６によって床パン３の切り欠き縁３１の浮きが確実に防止され、床パン３の切り欠き縁３１を見栄えよく敷設することができる。
しかも、このように床パン３が敷設されると、床パン３の切り欠き縁３１を壁パネル１０に向かって略水平方向からスライドさせて敷設するもののように水平方向のスペースを必要とせず、床パン３の切り欠き縁３１をより簡単に敷設することができる。
【００４１】
なお、本発明は、上記各実施の形態に限定されるものではなく、その他種々の変形例を包含している。例えば、上記各実施形態では、４枚の床パン３，…を洗面室１の床２の敷設領域に敷設した場合について述べたが、図８に示すように、規格外サイズの床の敷設領域に、２枚の床パン３，３が、長辺同士を向き合わせるように２つ並べられ、その２つ並べた床パン３，３の短辺に対し長辺を向き合わせた１つの床パン３が敷設されていてもよい。この場合、２つ並べた床パン３，３の短辺に対し長辺を向き合わせた１つの床パン３は、その床の敷設領域に収まるように長辺側の端縁が切り欠かれている。このとき、長辺が切り欠かれた床パン３の切り欠き縁には、取付金具（図示せず）が取り付けられ、床の敷設領域の周縁に敷設された支持フレームの上側支持フレーム材に対しビス止めされる。
【００４２】
また、図９に示すように、規格外サイズの床の敷設領域に、３枚の床パン３が、長辺同士を向き合わせるように２つ並べられ、その２つ並べた床パン３，３の短辺に対し長辺を向き合わせた１つの床パン３が敷設されていてもよい。この場合、長辺同士が向き合うように２つ並べた床パン３，３のうちの一方の床パン３（図９では下側の床パン３）は、その敷設領域に収まるように長辺側の端縁が切り欠かれ、この２つ並べた床パン３，３の短辺に対し長辺を向き合わせた１つの床パン３も、その敷設領域に収まるように短辺側の端縁が切り欠かれているとともに、長辺側の端縁も切り欠かれている。このとき、長辺及び短辺が切り欠かれた各床パン３の切り欠き縁には、取付金具（図示せず）がそれぞれ取り付けられ、床の敷設領域の周縁に敷設された支持フレームの上側支持フレーム材に対しビス止めされる。
【００４３】
また、図１０に示すように、規格外サイズの床の敷設領域に、３枚の床パン３がその短辺同士を向き合わせるように３つ並べて敷設されていてもよい。この場合、各床パン３は、床の敷設領域を超過する部位に敷設され、その敷設領域に収まるように長辺側の端縁がいずれも切り欠かれている。このとき、上記各床パン３の切り欠き縁には、取付金具（図示せず）がそれぞれ取り付けられ、床の敷設領域の周縁に敷設された支持フレームの上側支持フレーム材に対しビス止めされる。
【００４４】
また、上記第３の実施の形態では、係止部６５を水切り具４０の載置部４０２の端面の下部側に設けたが、支持フレームの上側支持フレーム材に、係合部を係止するために切り欠いた孔状の係止部が設けられていてもよい。
【００４５】
また、上記各実施の形態及び変形例では、床２，４の敷設領域に４枚又は３枚の床パン３，…を敷設した場合について述べたが、床の敷設領域に応じて２枚又は５枚以上の床パンが敷設される場合にも適用できるのはいうまでもない。
【００４６】
また、上記各実施の形態では、洗面室の床の敷設領域に床パンを敷設する場合について述べたが、これに限定されるものではなく、浴室の洗い場、シャワールームやトイレなどのように水回り設備を内設したサニタリールームの床の敷設領域であればどこでもよい。
【００４７】
更に、上記各実施の形態では、互いに相隣なる床パン３，３の端縁の間に隠蔽カバー３８を装着する一方、壁パネル１０と床パン３の端縁又は切り欠き縁３１の間に隠蔽カバー３９を装着したが、隠蔽カバーの端縁と床パンの端縁又は切り欠き縁との間の隙間にシール材を介在させて当該隙間のシール性が高められるようにしてもよい。
【符号の説明】
【００４８】
１      洗面室（サニタリールーム）
２      床
３      床パン（第１部材、第２部材）
３１    切り欠き縁
３２    支持フレーム（第１部材）
３３２，３４２  支持フレームの他側のフランジ（突片）
３９    隠蔽カバー
４０    水切り具（第２部材）
４１    取付金具（取付具）
５      取付金具（取付具）
５２    挟持部
６      取付金具（取付具）
６４    係合片
６５    係止部
【図１】
2011132677.tif 000003
【図２】
2011132677.tif 000004
【図３】
2011132677.tif 000005
【図４】
2011132677.tif 000006
【図５】
2011132677.tif 000007
【図６】
2011132677.tif 000008
【図７】
2011132677.tif 000009
【図８】
2011132677.tif 000010
【図９】
2011132677.tif 000011
【図１０】
2011132677.tif 000012